(57)【要約】      （修正有）【課題】折り処理された用紙においてもスキュー補正を簡易に精度良く行うことができる用紙処理装置及びそれを含む画像形成システムを提供することを目的とする。【解決手段】用紙の搬送経路で用紙を挟持搬送する少なくとも１組の第１搬送ローラと、  搬送経路において該第１搬送ローラよりも下流側で用紙を挟持搬送する少なくとも１組の第２搬送ローラと、  第１搬送ローラ及び第２搬送ローラを回転駆動させて搬送経路の上流側から下流側へ向かう搬送方向に用紙を搬送する用紙搬送手段と、  用紙が第１搬送ローラを通過した後に、該第１搬送ローラの回転を停止させるとともに第２搬送ローラを反転させて、搬送方向とは逆方向に用紙を後退させ、その後端を回転の停止した第１搬送ローラの挟持位置に押し当てることにより用紙の搬送方向に対する斜向を補正する後端揃え処理を行う用紙斜向補正手段と、を備えることを特徴とする。【選択図】図１
2007001700.tif 000002
【特許請求の範囲】
【請求項１】
搬送される用紙に対して所定の処理を行う用紙処理装置であって、
用紙の搬送経路で用紙を挟持搬送する少なくとも１組の第１搬送ローラと、
前記搬送経路において該第１搬送ローラよりも下流側で用紙を挟持搬送する少なくとも１組の第２搬送ローラと、
前記第１搬送ローラ及び前記第２搬送ローラを回転駆動させて前記搬送経路の上流側から下流側へ向かう搬送方向に用紙を搬送する用紙搬送手段と、
用紙が前記第１搬送ローラを通過した後に、該第１搬送ローラの回転を停止させるとともに前記第２搬送ローラを反転させて、前記搬送方向とは逆方向に用紙を後退させ、その後端を回転の停止した前記第１搬送ローラの挟持位置に押し当てることにより用紙の前記搬送方向に対する斜向を補正する後端揃え処理を行う用紙斜向補正手段と、
を備えることを特徴とする用紙処理装置。
【請求項２】
前記搬送方向の前端側に折り返し部を有する折り用紙が搬送されるのを検知する折り用紙検知手段を更に備え、当該折り用紙検知手段が前記折り用紙の搬送を検知した場合に、前記用紙斜向補正手段は前記折り用紙に対して前記後端揃え処理を行う請求項１に記載の用紙処理装置。
【請求項３】
前記折り用紙検知手段が前記折り用紙の搬送を検知しない場合に、前記用紙斜向補正手段は、前記第２搬送ローラの回転を停止させるとともに前記第１搬送ローラを回転させて、前記搬送方向に用紙を前進させ、その前端を回転の停止した前記第２搬送ローラの挟持位置に押し当てることにより用紙の前記搬送方向に対する斜向を補正する前端揃え処理を行う請求項２に記載の用紙処理装置。
【請求項４】
前記第１搬送ローラと前記第２搬送ローラとの間の距離は、前記斜向補正手段の前記後端揃え処理により前記折り用紙の前記搬送方向に対する斜向を補正する際に、前記第２搬送ローラが前記折り用紙の折り返し部を巻き込まない距離に定められている請求項２または３に記載の用紙処理装置。
【請求項５】
前記用紙搬送手段及び前記斜向補正手段は、前記第２搬送ローラを前記第１搬送ローラと独立して回転駆動させる駆動装置を有し、当該駆動装置は、用紙を前記搬送方向へ前進させる際に前記第２搬送ローラを第１方向へ回転させ、用紙を前記搬送方向とは逆方向へ後退させる際に前記第２搬送ローラを前記第１方向とは反対の第２方向へ回転させる請求項１ないし４のいずれか１項に記載の用紙処理装置。
【請求項６】
前記用紙搬送手段及び前記斜向補正手段は、前記第１搬送ローラ及び前記第２搬送ローラを回転駆動させる駆動装置を有するとともに、前記第１搬送ローラは当該駆動装置に一方向クラッチを介して接続され、用紙を前記搬送方向へ前進させる際に前記第１搬送ローラ及び前記第２搬送ローラを共に第１の方向へ回転させ、用紙を前記搬送方向とは逆方向へ後退させる際に前記第２搬送ローラのみを前記第１の方向とは反対の第２の方向へ回転させる請求項１ないし４のいずれか１項に記載の用紙処理装置。
【請求項７】
前記第１搬送ローラと前記第２搬送ローラとの間の搬送経路は、前記斜向補正手段の前記後端揃え処理により該第１搬送ローラの挟持位置に押し当てられた用紙が撓むことを許容する間隙を有する請求項１ないし６のいずれか１項に記載の用紙処理装置。
【請求項８】
前記斜向補正手段により斜向補正された用紙の前記搬送方向と直交する方向の位置を検知する直交位置検知手段と、前記直行位置検知手段の検知結果に基づき用紙の所定の位置に穿孔を行う穿孔手段とを更に備える請求項１ないし７のいずれか１項に記載の用紙処理装置。
【請求項９】
入力される画像情報に基づいて用紙に画像を形成する画像形成装置と、該画像形成装置によって画像が形成された用紙に対し折り処理を行って折り用紙とする用紙折り装置と、当該折り用紙に対して所定の処理を行う請求項１ないし８のいずれか１項に記載の用紙処理装置と、を備えることを特徴とする画像形成システム。
【発明の詳細な説明】
【技術分野】
【０００１】
本発明は、用紙に対して綴じ，穿孔，スタンプ等の処理を行う用紙処理装置、及びそれが一体とされた或いは付設された複写機，プリンタ，ファクシミリ，印刷機などの画像形成システムに関する。
【背景技術】
【０００２】
複写機，プリンタ，ファクシミリなどの画像形成装置により画像が形成された用紙に対して、仕分けをしたり，綴じたり，ファイリングのための穿孔を行ったり，押印をしたり，情報の付加を行うなどの処理を行う用紙処理装置は、従来から種々提供されている。
【０００３】
【特許文献１】特開平８−８１０８９号公報
【特許文献２】特開２００２−１６０８４８号公報
【発明の開示】
【発明が解決しようとする課題】
【０００４】
しかしながら、一般に画像形成装置から排出される用紙はその搬送方向に対して斜向（以下、スキューとも称する）していることが多く、用紙処理装置においてそのまま仕分けや穿孔などの処理を行うと、スキューの影響を大きく受けて処理の精度が悪化してしまうという不具合が生じる。そこで、特許文献１や特許文献２などでは、用紙の搬送姿勢を補正するスキュー補正手段を設けることが提案されている。
【０００５】
一方、近年では、新しい機能としてＺ折り等の用紙折り機能が必須機能となってきており、そのための用紙折りユニットが外付けユニットとして、画像形成装置と用紙処理装置の間に設置されることがある。これに伴い、用紙処理装置には折り処理された用紙についてのスキュー補正の精度向上も要求されるが、図２に示すような折り処理（Ｚ折り）が正確になされなかった用紙が搬送されてきた場合等には、特許文献１や特許文献２に係る方法では精度良くスキュー補正を行うことが困難である。
【０００６】
本発明は、上記問題を鑑みて為されたものであり、折り処理された用紙においてもスキュー補正を簡易に精度良く行うことができる用紙処理装置及びそれを含む画像形成システムを提供することを目的とする。
【課題を解決するための手段・発明の効果】
【０００７】
上記課題を解決するため、本発明の用紙処理装置は、
搬送される用紙に対して所定の処理を行う用紙処理装置であって、
用紙の搬送経路で用紙を挟持搬送する少なくとも１組の第１搬送ローラと、
搬送経路において該第１搬送ローラよりも下流側で用紙を挟持搬送する少なくとも１組の第２搬送ローラと、
第１搬送ローラ及び第２搬送ローラを回転駆動させて搬送経路の上流側から下流側へ向かう搬送方向に用紙を搬送する用紙搬送手段と、
用紙が第１搬送ローラを通過した後に、該第１搬送ローラの回転を停止させるとともに第２搬送ローラを反転させて、搬送方向とは逆方向に用紙を後退させ、その後端を回転の停止した第１搬送ローラの挟持位置に押し当てることにより用紙の搬送方向に対する斜向を補正する後端揃え処理を行う用紙斜向補正手段と、
を備えることを特徴とする。
【０００８】
例えば、図２に示すような正しく折り処理（Ｚ折り）されていない用紙では、用紙の前端側でスキュー補正を行う従来の方法によると、ズレの生じた折り返し部が基準とされてしまうため、用紙の斜向を補正することができずに、後の穿孔等の処理が斜向の影響を受けてしまう。そこで、上記本発明のごとく、第１搬送ローラの下流側にある第２搬送ローラを反転可能とし、搬送方向とは逆方向に用紙を後退させて、その後端を回転を停止させた第１搬送ローラの挟持位置に押し当てる斜向補正（後端揃え処理）を行うことで、搬送される用紙に上記のような正しく折り処理されていない用紙が含まれていたとしても、用紙の斜向を精度良く補正できることとなる。
【０００９】
次に、本発明の用紙処理装置は、搬送方向の前端側に折り返し部を有する折り用紙が搬送されるのを検知する折り用紙検知手段を更に備え、当該折り用紙検知手段が折り用紙の搬送を検知した場合に、用紙斜向補正手段は折り用紙に対して後端揃え処理を行うように構成することができる。上記のように、後端揃えによる斜向補正は折り処理された用紙に対して特に有効であるので、折り用紙検知手段により折り用紙の搬送を検知し、折り用紙に対し後端揃えによる斜向補正を行うことで、折り用紙の斜向を精度良く且つ効率的に補正できることとなる。
【００１０】
また、折り用紙検知手段が折り用紙の搬送を検知しない場合には、用紙斜向補正手段は、第２搬送ローラの回転を停止させるとともに第１搬送ローラを回転させて、搬送方向に用紙を前進させ、その前端を回転の停止した第２搬送ローラの挟持位置に押し当てることにより用紙の搬送方向に対する斜向を補正する前端揃え処理を行うように構成することができる。折り処理がなされた折り用紙に対しては上記した後端揃えによる斜向補正を行う一方で、折り処理がなされていない用紙に対しては、従来と同様の前端揃えによる斜向補正を行うようにすれば、折り用紙以外の用紙を搬送方向と逆方向に後退させることがないので、処理効率を向上させることができる。
【００１１】
また、折り用紙に対して後端揃えによる斜向補正をする場合、第１搬送ローラと第２搬送ローラとの間の距離は、斜向補正手段の後端揃え処理により折り用紙の搬送方向に対する斜向を補正する際に、第２搬送ローラが折り用紙の折り返し部を巻き込まない距離に定めることができる。かかる距離に設定されることにより、搬送方向と逆方向に後退した折り用紙が第２搬送ローラへ巻き込まれて折れ曲がったり汚れたりする不具合を防ぐことができる。
【００１２】
次に、本発明の用紙処理装置では、用紙搬送手段及び斜向補正手段は、第２搬送ローラを第１搬送ローラと独立して回転駆動させる駆動装置を有し、当該駆動装置は、用紙を搬送方向へ前進させる際に第２搬送ローラを第１方向へ回転させ、用紙を搬送方向とは逆方向へ後退させる際に第２搬送ローラを第１方向とは反対の第２方向へ回転させるように構成することができる。これにより、上記のごとき用紙の搬送と斜向補正とを良好に実現することができる。
【００１３】
又は、本発明の用紙処理装置では、用紙搬送手段及び斜向補正手段は、第１搬送ローラ及び第２搬送ローラを回転駆動させる駆動装置を有するとともに、第１搬送ローラは当該駆動装置に一方向クラッチを介して接続され、用紙を搬送方向へ前進させる際に第１搬送ローラ及び第２搬送ローラを共に第１の方向へ回転させ、用紙を搬送方向とは逆方向へ後退させる際に第２搬送ローラのみを第１の方向とは反対の第２の方向へ回転させるように構成することができる。この構成によれば、第１搬送ローラ及び第２搬送ローラの駆動源をまとめて簡易な構成にすることができるとともに、上記の後端揃えによる斜向補正を良好に実現できる。
【００１４】
次に、本発明の用紙処理装置では、第１搬送ローラと第２搬送ローラとの間の搬送経路は、斜向補正手段の後端揃え処理により該第１搬送ローラの挟持位置に押し当てられた用紙が撓むことを許容する間隙を有するように構成することができる。用紙の後端を第１搬送ローラの挟持位置に押し当てる際に、用紙が間隙内で撓むことができるので、斜向補正を良好に行うことができる。
【００１５】
次に、本発明の用紙処理装置は、斜向補正手段により斜向補正された用紙の搬送方向と直交する方向の位置を検知する直交位置検知手段と、直行位置検知手段の検知結果に基づき用紙の所定の位置に穿孔を行う穿孔手段とを更に備えるように構成することができる。これにより、精度良く斜向補正された用紙に対して穿孔処理を行うことができるので、穿孔位置が揃えられた用紙を得ることが可能となる。
【００１６】
以上の発明を基に、本発明の画像形成システムは、入力される画像情報に基づいて用紙に画像を形成する画像形成装置と、該画像形成装置によって画像が形成された用紙に対し折り処理を行って折り用紙とする用紙折り装置と、当該折り用紙に対して所定の処理を行う上述した本発明の用紙処理装置と、を備えることを特徴とする。これにより、画像形成から折り処理を経て、穿孔等の所定の処理が施されるまでの一連の処理を、円滑に行うことができ、且つ穿孔等の所定の処理が精度良く施された用紙を得ることができる。
【発明を実施するための最良の形態】
【００１７】
以下、本発明の実施形態について図面を参照して説明する。
図１は、本発明の実施形態に係る用紙処理装置３００の全体構成を示している。図１において、用紙処理装置３００は、デジタル複写機からなる画像形成装置１００の側部に設置されており、その間には折り装置２００が配置されている。画像形成装置１００により画像が形成された用紙Ｐは、画像形成装置１００内の搬送ローラ対によって搬送されて折り装置２００に至り、そこで用紙折り処理がなされた後、折り装置２００内の搬送ローラによって搬送されて、用紙処理装置３００の本発明の第一搬送ローラとしての入口ローラ対１によって受け入れられる構成となっている。
【００１８】
入口ローラ対１の前段には用紙Ｐの搬入を検知する反射型センサなどで構成された入口センサＳ１が配設されている。入口ローラ対１からの搬送経路には、用紙の搬送方向に対して直交方向のズレを検知する本発明の直交位置検知手段としての横レジ検知部１０と、横レジ検知部１０の検知結果によって用紙搬送方向に対して垂直方向に駆動可能で、用紙Ｐにファイリング用の孔を穿孔する本発明の穿孔手段としてのパンチユニット９と、パンチのカスを収容するパンチかすホッパ１１と、用紙Ｐを搬送経路ＩとIIのいずれの搬送経路に搬送するかを切換えるためのシフト切り替え爪Ａと、用紙Ｐを搬送経路IIとIIIのいずれの搬送経路に搬送するかを切換えるためのステイプル切り替え爪Ｂと、パンチユニット９からシフト切り替え爪Ａに用紙Ｐを導く本発明の第２搬送ローラとしての搬送ローラ対２とが設けられている。
【００１９】
シフト切り替え爪Ａ及びステイプル切り替え爪Ｂは、その切り替えによって、搬送経路Ｉを経て上トレイＴ２方向へ向かう用紙Ｐと、搬送経路IIを経て上下動可能に支持されたトレイＴ１方向へ向かう用紙Ｐと、搬送経路IIIを経てステイプルユニット２０へ向かう用紙Ｐとを分ける。ステイプルユニット２０へ向かう搬送経路IIIには、ステイプル切り替え爪Ｂからの用紙Ｐをステイプルユニット２０に搬送するための搬送ローラ対が複数配置されており、用紙Ｐは搬送経路IVを経て用紙の整合を行うジョガーフェンス３及び後端フェンス４方向へ搬送され、ここで所定枚数スタックされた後、ステイプラ５によってステイプルされ、放出ベルト及び放出爪６によって排紙ローラ対７を経てトレイＴ１へと排出される。
【００２０】
横レジ検知部１０は、用紙Ｐの搬送方向と直交する方向に移動させる横レジセンサ移動モータを有しており、パンチユニット９は、横レジ検知部１０の検知結果に基づいてパンチユニット９を搬送方向と直交する方向に移動させるパンチ移動モータと、用紙Ｐに対して穿孔を行うパンチ駆動モータとを有しており、これによって、用紙Ｐの端部に対する穿孔位置を揃えて穿孔できるようになっている。これらは、例えば「特開2003-128337号公報」にあるような周知の穿孔手段として構成できる。
【００２１】
本発明の第１実施形態に係る用紙処理装置３００の電気的構成の詳細を示すブロック図を図１１に示す。なお、図では、本発明の処理に特に関わる部分の構成をＣＰＵ３３の左側に示す。用紙処理装置３００は、ＣＰＵ（中央演算装置）３３を中心として構成され、ＣＰＵ３３のワークエリアとなるＲＡＭや種々の制御やデータを記憶したＲＯＭを有するとともに、装置内に配された各種モータを駆動するドライバ、各種センサ等を有している。具体的には、ＣＰＵ３３は、Ｉ／Ｏインターフェース（図示せず）を介してモータドライバに制御信号を出力し、入口ローラ対１を駆動する入口搬送モータ３１、搬送ローラ対２を駆動するシフト搬送モータ３２、搬送経路Ｉ〜IIIに設けられた搬送ローラを駆動する搬送モータ、排紙ローラを駆動する排紙モータ、ステイプル装置を移動させるためのステイプル移動モータ、ジョガーフェンスを移動させるためのジョガーモータ、パンチユニット９を移動させるためのパンチ移動モータ、横レジ検知部１０を移動させるための横レジセンサ移動モータ等のステッピングモータで構成されるモータの制御を行う。また同様に、シフトトレイの上下モータやシフトモータ、ステイプル装置を駆動するスティプルモータ、放出ベルトを駆動する放出モータ、用紙に穿孔を行うパンチユニット９を駆動するパンチ駆動モータ等の、ステッピングモータ以外のモータの制御も行う。さらに同様に、用紙が搬送される搬送経路Ｉ〜IIIの切り替えを行う切り替え爪Ａ・Ｂを駆動する切換ソレノイドを制御する。
【００２２】
画像形成装置１００、折り装置２００、用紙処理装置３００は、シリアルインターフェイスを介して相互に接続されており、シリアル通信によって必要な制御データの授受を行っている。折り装置２００は、画像形成装置１００から「Ｚ折り処理モード」がユーザにより選択された旨の信号を受けると、画像形成装置１００から搬送される用紙Ｐに対して用紙折り処理を施し、図２に示すような搬送方向の前端側がＺ折りされたＺ折り用紙を形成して、その後、用紙処理装置３００へと搬送する。また、用紙処理装置３００は、この「Ｚ折り処理モード」が選択された旨の信号を受けることで、Ｚ折り用紙が搬送されることを検知して、後述の処理を行う。
【００２３】
以上によって、用紙処理装置３００のＣＰＵ３３を中心とする電気的構成は、本発明の用紙搬送手段・用紙斜向補正手段・折り用紙検知手段として機能する。以下、これらの手段が行う用紙の斜向（スキュー）補正処理について説明する。図４〜１０はＺ折り処理された用紙がスキュー補正される経過を示す図であり、図１２はその一連の動作を表すフローチャートである。図３は、かかる処理が行われる第１実施形態に係る用紙処理装置３００の用紙受け入れ部の上面図及び側面図を示すものである。入口ローラ対１は入口搬送モータ３１に、搬送ローラ対２はシフト搬送モータ３２によってそれぞれ駆動する。入口ローラ対１と搬送ローラ対２との間の搬送経路には、後述するように用紙が入口ローラ対１に押し当てられた際に生じる撓みを許容する為の間隙部３０が設けられている。
【００２４】
まず、図４に示す第１ステップでは、ＣＰＵ３３は画像形成装置１００より起動信号を受け取ると、入口搬送モータ３１とシフト搬送モータ３２をそれぞれ駆動させる。次いで、用紙Ｐが折り装置２００内の搬送ローラによって用紙処理装置３００内に搬送される。そして、用紙Ｐが搬送されると入口センサＳ１がＯＮし、続いて入口ローラ対１に搬送され、パンチユニット９及び横レジ検知部１０を通って搬送ローラ対２に至る。その後、用紙Ｐが入口ローラ対１を抜けたところで入口ローラ対１及び搬送ローラ対２による搬送を停止する。この時、搬送を停止するタイミングは、ＣＰＵ３３のタイマにより入口センサＳ１がＯＦＦしてから所定の時間が経過したか否かにより判断される。
【００２５】
次に、図５に示す第２ステップでは、用紙Ｐの搬送が停止したら、ＣＰＵ３３はシフト搬送モータ３２のみを反転させ、搬送方向とは逆方向に用紙Ｐを後退させる。これにより、用紙Ｐは駆動停止状態の入口ローラ対１に向かって送り込まれることになり、用紙Ｐはその後端が入口ローラ対１の挟持位置に押し当てられた状態となって搬送が阻止される。しかし、搬送ローラ対２は用紙Ｐを後退させるべく反転を続けるため、図６に示す第３ステップに示すように、用紙Ｐは、入口ローラ対１と当接する位置を中心として、その後端と入口ローラ対１の挟持位置とが平行となるように面内に回転する（後端揃え処理）。このようにして用紙Ｐのスキューは補正される。なお、シフト搬送モータ３２は、反転が開始されてから所定の時間が経過した場合にその駆動を停止する。
【００２６】
ここで、用紙の後端を回転の停止した入口搬送ローラ対１の挟持位置に押し当てる際には、用紙Ｐには僥みが生じることとなるが、入口ローラ対１の近傍に用紙の撓みを許容する間隙部３０が設けてあるので、この間隙により用紙Ｐはスムーズに僥みを形成することができる。また、入口ローラ対１と搬送ローラ対２との間の距離は、用紙Ｐが入口ローラ対１に押し当てられた際に、搬送ローラ対２がＺ折り用紙の折り返し部を巻き込まない距離に定められているため、折り返し部が搬送ローラ対２に巻き込まれて折れたりシワが生じたりすることはない。
【００２７】
次に、図７に示す第４ステップで、横レジ検知部１０の横レジ検知センサ（図示せず）により用紙の横レジスト補正を行った後、ＣＰＵ３３により当該横レジ検知センサが用紙Ｐの後端を検知してから所定の時間が経過したか否か（用紙が穿孔位置に来たか否か）を判断し、再び搬送ローラ対２を停止させる。そして、図８に示す第５ステップで、横レジ検知部１０の検知結果に基づいてパンチユニット９を搬送方向と直交する方向に移動させ、図９に示す第６ステップで、パンチ処理を行う。その後、図１０に示す第７ステップで、シフト搬送モータ２を正転させることで、用紙Ｐは搬送方向に搬送され、搬送経路Ｉ〜IIIのいずれかを経て排出される。以上により、スキュー補正処理を含む一連の処理が完了する。
【００２８】
従来の様に用紙の先端を基準にスキュー補正する方式では、Ｚ折り用紙の折り返し側を先端として搬送すると、折りが正しく行われていない場合に精度良くパンチ処理を行うことができないという問題がある。そこで、上記のように、Ｚ折りされた用紙を一旦後退させ、用紙の後端でスキュー補正を行うことにより、Ｚ折りの状態に寄らずスキュー補正が正しく行われ、その結果、パンチ処理を精度良く行うことが可能となるのである。
【００２９】
なお、折り処理がなされていない用紙は従来と同様に用紙の前端にてスキュー補正を行うことができるので、かかる用紙が搬送される場合は上記した処理の変形例として、図１３に示すフローチャートのごとき処理を行うことができる。すなわち、ＣＰＵ３３が画像形成装置１００から「Ｚ折り処理モード」選択の信号を受けた場合（本発明の折り用紙検知手段としての機能）にのみ上記したスキュー補正（後端揃え処理）を行い、これに対して、かかる信号を受けなかった場合には従来と同様のスキュー補正（前端揃え処理）を行う。具体的には、前端揃え処理は、図１３のフローチャートの右側部分にあるように、入口ローラ対１を回転させて搬送方向に用紙Ｐを前進させ、その前端を回転の停止した搬送ローラ対２の挟持位置に押し当てることにより用紙のスキュー補正を行う。このような前端揃え処理は、例えば「特開2002-160848号公報」にあるような周知の処理と同様である。なお、折り処理のされた用紙の検知は、例えば、入口ローラ対１の上流側に設けられた反射型センサ等（用紙処理装置３００内に限らず、折り処理装置２００内に配設されたものであっても良い）によって用紙の搬送方向の長さを測ること等によっても実現できる。
【００３０】
以下、本発明の第２実施形態に係る用紙処理装置３００について説明する。なお、上記の実施形態と同様の構成に係る部分については、同番号を付して説明を省略する。図１４〜図１６は第２実施形態に係る用紙処理装置３００に係るものであり、図１４は用紙受け入れ部の上面図及び側面図、図１５はフローチャート、図１６は電気的構成を表す図である。図１４によると、入口ローラ対１及び搬送ローラ対２は、モータ３４を共通の駆動源としており、入口ローラ対１は当該モータ３４に一方向クラッチ３５を介して接続されている。これにより、入口ローラ対１は用紙の搬送方向にのみ回転する。すなわち、モータ３４が正転すると用紙を搬送する方向に入口ローラ対１及び搬送ローラ対２が共に回転し、モータ３４が反転すると用紙を後退させる方向に搬送ローラ対２のみが回転する。このような構成によって、図１５及び１６に示すように１つのモータ３４の制御のみで、上記第１実施形態と同様のスキュー補正処理（後端揃え処理）を行うことができる。
【００３１】
以上、本発明の実施形態について説明したが、本発明はこれらに限定されず、その要旨を逸脱しない範囲で適宜変更して実施し得るものである。
【図面の簡単な説明】
【００３２】
【図１】本発明の用紙処理装置の内部構造を概略的に表す図
【図２】搬送方向の前端側がＺ折りされたＺ折り用紙を表す図
【図３】第１実施形態に係る用紙処理装置の用紙受け入れ部の上面図及び側面図
【図４】図３の用紙受け入れ部におけるスキュー補正処理の第１ステップを表す図
【図５】続いて第２ステップを表す図
【図６】続いて第３ステップを表す図
【図７】続いて第４ステップを表す図
【図８】続いて第５ステップを表す図
【図９】続いて第６ステップを表す図
【図１０】続いて第７ステップを表す図
【図１１】第１実施形態に係る用紙処理装置の電気的構成を表すブロック図
【図１２】図４〜図１０に示すスキュー補正処理を表すフローチャート
【図１３】図１２に示すスキュー補正処理の変形例を表すフローチャート
【図１４】第２実施形態に係る用紙処理装置の用紙受け入れ部の上面図及び側面図
【図１５】第２実施形態に係る用紙処理装置のスキュー補正処理を表すフローチャート
【図１６】第２実施形態に係る用紙処理装置の電気的構成を表すブロック図
【符号の説明】
【００３３】
１      入口ローラ対（第１搬送ローラ）
２      搬送ローラ対（第２搬送ローラ）
９      パンチユニット（穿孔手段）
１０    横レジ検知部（直交位置検知手段）
１００  画像形成装置（デジタル複写機）
２００  用紙折り装置
３００  用紙処理装置
【図１】
2007001700.tif 000003
【図２】
2007001700.tif 000004
【図３】
2007001700.tif 000005
【図４】
2007001700.tif 000006
【図５】
2007001700.tif 000007
【図６】
2007001700.tif 000008
【図７】
2007001700.tif 000009
【図８】
2007001700.tif 000010
【図９】
2007001700.tif 000011
【図１０】
2007001700.tif 000012
【図１１】
2007001700.tif 000013
【図１２】
2007001700.tif 000014
【図１３】
2007001700.tif 000015
【図１４】
2007001700.tif 000016
【図１５】
2007001700.tif 000017
【図１６】
2007001700.tif 000018